【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
無線ヒートマップのパラメータを学習する方法であって、
モバイルデバイスで、電子通信ネットワークを介してサーバから１つまたは複数のメッセージを受信することと、前記１つまたは複数のメッセージが、少なくとも、エリアにおいて信号を送信する１つまたは複数のワイヤレス送信機のロケーション、および前記エリアの電子デジタルマップを備え、
前記１つまたは複数のワイヤレス送信機の前記ロケーションおよび前記エリアの前記電子デジタルマップに少なくとも部分的に基づいて、前記１つまたは複数のワイヤレス送信機の少なくとも１つから送信される前記信号の少なくとも１つの信号強度伝搬モデルのパラメータを推定することと、前記パラメータが、前記エリアにおける前記モバイルデバイスのロケーションを推定することと同時に推定され、ここにおいて、前記パラメータを前記推定することは、前記信号強度伝搬モデルおよび前記推定されたパラメータに少なくとも部分的に基づいて前記モバイルデバイスの前記ロケーションを推定することと、前記モバイルデバイスの前記推定されたロケーションに少なくとも部分的に基づいて、前記パラメータを計算することとをさらに備える、
前記電子通信ネットワークを介して前記サーバに、前記推定されたパラメータを伝達することと
を備える、方法。
【請求項２】
前記パラメータを前記推定することが、
前記エリアの前記電子デジタルマップに少なくとも部分的に基づいて前記モバイルデバイスの前記推定されたロケーションから前記１つまたは複数のワイヤレス送信機の前記少なくとも１つを分離する壁の数に少なくとも部分的に基づいて前記パラメータを推定すること、ここにおいて、前記パラメータが、前記１つまたは複数のワイヤレス送信機の前記少なくとも１つの推定送信電力、推定伝搬損失指数、前記モバイルデバイスの前記推定されたロケーションから前記１つまたは複数のワイヤレス送信機の前記少なくとも１つを分離するいくつかの壁によって吸収される推定電力、またはその任意の組合せのうちの少なくとも１つを備える、
をさらに備える、請求項１に記載の方法。
【請求項３】
前記モバイルデバイスの前記ロケーションを前記推定することが、前記エリアにおける前記信号の受信される信号強度の測定と同時である、請求項１に記載の方法。
【請求項４】
前記推定されたパラメータを前記伝達することが、
前記パラメータの少なくとも１つと関連する計算された分散または共分散に少なくとも部分的に基づいて、前記パラメータにおける信頼水準を評価することと、
前記信頼水準が閾値を満たすことに応じて、前記サーバに前記パラメータを選択的に送信することと
を備える、請求項１に記載の方法。
【請求項５】
前記パラメータが、以下の式により推定され：
【数１】
2017503366.tif 000001
上式で、
Ｙtは、前記モバイルデバイスにおいて受信される前記１つまたは複数のワイヤレス送信機からの受信信号電力であり、
ｄ（ｓt，ＡＰ）は、前記モバイルデバイスから前記１つまたは複数のワイヤレス送信機までの距離であり、
ｗは、白色雑音であり、
θ1は、伝搬損失指数であり、
θ2は、壁によって吸収される電力量であり、
θ3は、前記１つまたは複数のワイヤレス送信機における信号送信電力である
請求項１に記載の方法。
【請求項６】
前記無線ヒートマップの一部として前記推定されたパラメータを記憶することをさらに備える、請求項１に記載の方法。
【請求項７】
前記信号強度伝搬モデルが、前記１つまたは複数のワイヤレス送信機の前記ロケーションに少なくとも部分的に基づき、前記エリアが、複数の信号強度伝搬モデルによって特徴付けられる、請求項１に記載の方法。
【請求項８】
前記信号強度伝搬モデルが、前記１つまたは複数のワイヤレス送信機のうちの単一のワイヤレス送信機と関連しているか、または、前記信号強度伝搬モデルが、複数の前記１つまたは複数のワイヤレス送信機と関連している、請求項１に記載の方法。
【請求項９】
無線ヒートマップのパラメータを学習する装置であって、
モバイルデバイスで、電子通信ネットワークを介してサーバから１つまたは複数のメッセージを受信するための手段と、前記１つまたは複数のメッセージが、少なくとも、エリアにおいて信号を送信する１つまたは複数のワイヤレス送信機のロケーション、および前記エリアの電子デジタルマップを備え、
前記１つまたは複数のワイヤレス送信機の前記ロケーションおよび前記エリアの前記電子デジタルマップに少なくとも部分的に基づいて、前記１つまたは複数のワイヤレス送信機の少なくとも１つから送信される前記信号の少なくとも１つの信号強度伝搬モデルのパラメータを推定するための手段と、前記パラメータが、前記エリアにおける前記モバイルデバイスのロケーションを推定することと同時に推定され、ここにおいて、前記パラメータを推定するための前記手段が、
前記信号強度伝搬モデルおよび前記推定されたパラメータに少なくとも部分的に基づいて前記モバイルデバイスの前記ロケーションを推定するための手段と、
前記モバイルデバイスの前記推定されたロケーションに少なくとも部分的に基づいて、前記パラメータを計算するための手段と
をさらに備え、
前記電子通信ネットワークを介して前記サーバに、前記推定されたパラメータを伝達するための手段と
を備える装置。
【請求項１０】
前記パラメータを推定するための前記手段が、
前記エリアの前記電子デジタルマップに少なくとも部分的に基づいて前記モバイルデバイスの前記推定されたロケーションから前記１つまたは複数のワイヤレス送信機の前記少なくとも１つを分離する壁の数に少なくとも部分的に基づいて前記パラメータを推定するための手段をさらに備え、ここにおいて、前記パラメータが、前記１つまたは複数のワイヤレス送信機の前記少なくとも１つの推定送信電力、推定伝搬損失指数、前記モバイルデバイスの前記推定されたロケーションから前記１つまたは複数のワイヤレス送信機の前記少なくとも１つを分離するいくつかの壁によって吸収される推定電力、またはその任意の組合せのうちの少なくとも１つを備える、請求項９に記載の装置。
【請求項１１】
前記モバイルデバイスの前記ロケーションを推定するための前記手段が、前記エリアにおける前記信号の受信される信号強度の測定と同時に前記ロケーションを推定するための手段を備える、請求項９に記載の装置。
【請求項１２】
前記推定されたパラメータを伝達するための前記手段が、
前記パラメータの少なくとも１つと関連する計算された分散または共分散に少なくとも部分的に基づいて、前記パラメータにおける信頼水準を評価するための手段と、
前記信頼水準が閾値を満たすことに応じて、前記サーバに前記パラメータを選択的に送信するための手段と
を備える、請求項９に記載の装置。
【請求項１３】
前記パラメータが、以下の式により推定され、
【数２】
2017503366.tif 000002
上式で、
Ｙtは、前記モバイルデバイスにおいて受信される前記１つまたは複数のワイヤレス送信機からの受信信号電力であり、
ｄ（ｓt，ＡＰ）は、前記モバイルデバイスから前記１つまたは複数のワイヤレス送信機までの距離であり、
ｗは、白色雑音であり、
θ1は、伝搬損失指数であり、
θ2は、壁によって吸収される電力量であり、
θ3は、前記１つまたは複数のワイヤレス送信機における信号送信電力である
請求項９に記載の装置。
【請求項１４】
前記信号強度伝搬モデルが、前記１つまたは複数のワイヤレス送信機の前記ロケーションに少なくとも部分的に基づき、前記エリアが、複数の信号強度伝搬モデルによって特徴付けられる、請求項９に記載の装置。
【請求項１５】
請求項１〜請求項８のうちの何れか一項に記載のステップを実行するようにプロセッサによって実行可能な命令を有する非一時的記憶媒体を備える物品。